(57)【要約】【課題】安定してミストを発生することのできるミスト発生装置及びこれを備えた美容装置を提供する。【解決手段】美容装置は、液体を貯留する貯留タンク１４と、貯留タンク１４からその供給口８１を通じて供給される液体をミスト化するミスト生成機構とを備えた。そして、貯留タンク１４に液体に対して気体を選択的に通過させる微細孔１２１を設けた。【選択図】図７
2013022201.tif 000002
【特許請求の範囲】
【請求項１】
液体を貯留する貯留タンクと、
前記貯留タンクから該貯留タンクの供給口を通じて供給される液体をミスト化するミスト生成機構と、を備えたミスト発生装置において、
前記貯留タンクには、液体に対して気体を選択的に通過させる通気手段が設けられたことを特徴とするミスト発生装置。
【請求項２】
請求項１に記載のミスト発生装置において、
前記通気手段は、前記貯留タンクにおける前記供給口が開口する側に設けられたことを特徴とするミスト発生装置。
【請求項３】
請求項１又は２に記載のミスト発生装置において、
弾性材料からなり、前記貯留タンクの内外を連通する連通孔に挿入される栓部材を備え、
前記通気手段は、前記栓部材における前記連通孔の内周面に接触する接触面に形成され、前記貯留タンクの内外に開口する通気溝により構成される微細孔を含むことを特徴とするミスト発生装置。
【請求項４】
請求項１又は２に記載のミスト発生装置において、
弾性材料からなり、前記貯留タンクの内外を連通する連通孔に挿入される栓部材を備え、
前記通気手段は、前記栓部材に埋設され、前記貯留タンクの内外に開口する金属管により構成される微細孔を含むことを特徴とするミスト発生装置。
【請求項５】
請求項１〜３のいずれか一項に記載のミスト発生装置において、
前記貯留タンクは、光透過性を有する材料からなり、
前記貯留タンクを覆う有底筒状のタンクキャップを備え、
前記タンクキャップの筒部及び底部には、前記貯留タンクに臨む開口窓がそれぞれ形成されたことを特徴とするミスト発生装置。
【請求項６】
請求項１〜５のいずれか一項に記載のミスト発生装置を備えたことを特徴とする美容装置。
【発明の詳細な説明】
【技術分野】
【０００１】
本発明は、ミスト発生装置及びこれを備えた美容装置に関する。
【背景技術】
【０００２】
従来、ミスト発生装置で発生させたミストを顔等に向けて放出することで、肌に潤いを与えるといった美容効果やスキンケアを目的とした美容装置がある。例えば、特許文献１に記載のミスト発生装置を備えた美容装置は、化粧水等の液体を貯留する貯留タンクと、貯留タンクからその供給口を通じて供給される液体をミスト化するミスト生成機構とを備えている。そして、ミスト生成機構で生成されたミストは、貯留タンク及びミスト生成機構を収容する本体ケースに設けられた放出口から放出されるようになっている。
【先行技術文献】
【特許文献】
【０００３】
【特許文献１】再公表特許２００６−４０９８１号公報
【発明の概要】
【発明が解決しようとする課題】
【０００４】
ところで、上記特許文献１の美容装置は、使用者が手に持ち、所望の部位にミストが放出されるように、その姿勢や位置が適宜変更される態様で主に使用される。そのため、美容装置は、使用者がミストを当てようとする部位に応じて重力方向に対して様々な角度に傾けられることになる。したがって、貯留タンクは、液体がこぼれ出ないように、ミスト生成機構に接続される供給口以外から液体が流出しない形状とされる必要がある。すなわち、貯留タンクは、供給口のみが外部に開口する形状とされる必要がある。
【０００５】
しかし、このように貯留タンクを供給口のみが外部に開口する形状とすると、貯留タンク内の液面が供給口よりも重力方向上側に位置する状態では、同貯留タンク内における空気が存在する空間は密閉された状態となる。そのため、美容装置の周囲環境（例えば、雰囲気温度や大気圧等）が変化すると、貯留タンクに存在する空気が膨張又は収縮することで、同貯留タンクの内圧が変化し、ミスト生成機構への液体の供給が不安定になることがある。その結果、ミスト生成機構で安定してミストが生成されなくなる虞があり、この点においてなお改善の余地があった。
【０００６】
この発明は、このような従来の技術に存在する問題点に着目してなされたものであり、その目的は、安定してミストを発生することのできるミスト発生装置及びこれを備えた美容装置を提供することにある。
【課題を解決するための手段】
【０００７】
上記目的を達成するために、本発明は、液体を貯留する貯留タンクと、前記貯留タンクから該貯留タンクの供給口を通じて供給される液体をミスト化するミスト生成機構と、を備えたミスト発生装置において、前記貯留タンクには、液体に対して気体を選択的に通過させる通気手段が設けられたことを特徴とする。
【０００８】
前記ミスト発生装置において、前記通気手段は、前記貯留タンクにおける前記供給口が開口する側に設けられることが好ましい。
前記ミスト発生装置において、弾性材料からなり、前記貯留タンクの内外を連通する連通孔に挿入される栓部材を備え、前記通気手段は、前記栓部材における前記連通孔の内周面に接触する接触面に形成され、前記貯留タンクの内外に開口する通気溝により構成される微細孔を含むことが好ましい。
【０００９】
前記ミスト発生装置において、弾性材料からなり、前記貯留タンクの内外を連通する連通孔に挿入される栓部材を備え、前記通気手段は、前記栓部材に埋設され、前記貯留タンクの内外に開口する金属管により構成される微細孔を含むことが好ましい。
【００１０】
前記ミスト発生装置において、前記貯留タンクは、光透過性を有する材料からなり、前記貯留タンクを覆う有底筒状のタンクキャップを備え、前記タンクキャップの筒部及び底部には、前記貯留タンクに臨む開口窓がそれぞれ形成されることが好ましい。
【００１１】
本発明の美容装置は、上記ミスト発生装置を備えたことを特徴とする。
【発明の効果】
【００１２】
本発明によれば、安定してミストを発生することのできるミスト発生装置及びこれを備えた美容装置を提供することができる。
【図面の簡単な説明】
【００１３】
【図１】（ａ）本発明のミスト発生装置を備えた美容装置の放出口を閉じた状態を示す斜視図、（ｂ）同美容装置の放出口を開いた状態を示す斜視図。
【図２】美容装置の軸方向に沿った断面図。
【図３】美容装置の分解斜視図。
【図４】美容装置における放出口カバー近傍の軸方向に沿った拡大断面図。
【図５】美容装置を後側から見たタンクキャップの斜視図。
【図６】貯留タンクの斜視図。
【図７】図６におけるＢ−Ｂ断面図。
【図８】別例の微細孔近傍を示す断面図。
【発明を実施するための形態】
【００１４】
以下、本発明をミスト発生装置を備えた美容装置に具体化した一実施形態を図面にしたがって説明する。
図１（ａ），（ｂ）に示すように、美容装置１は、小型の略円柱状に形成されており、例えば鞄等に入れて持ち運びが可能な携帯用に構成されている。そして、美容装置１は、使用者が手に持ち、同美容装置１に設けられた放出口２から所望の部位（顔や腕等）にミストが放出されるように、その姿勢や位置が適宜変更される態様で主に使用される。なお、以下の説明において、美容装置１の外周面における放出口２が設けられた側を前側、その反対側を後側とする。
【００１５】
図２及び図３に示すように、美容装置１は、装置本体１１の一部を収容する略円筒状のハウジング１２と、ハウジング１２の軸方向に移動して放出口２を開閉する放出口カバー１３とを備えている。装置本体１１におけるハウジング１２の一端側（図２における上側）には、ミスト化される液体（本実施形態では、化粧水）を貯留する貯留タンク１４及び貯留タンク１４を覆うタンクキャップ１５が着脱可能に設けられている。一方、装置本体１１におけるハウジング１２の他端側（図２における下側）には、電池交換用カバー１６が着脱可能に設けられている。なお、ハウジング１２の外周面における後側部分には、電池の挿入方向等が記載された電池シール１７、及び美容装置１の使用上の注意事項等が記載された警告シール１８が貼り付けられている。
【００１６】
詳述すると、装置本体１１は、ハウジング１２内に収容される略長方形板状の基台２１を備えている。基台２１は、ハウジング１２の一端側から挿入され、その他端側から抜け出ないように形成されている。基台２１の前側には、第１の回路基板２３が固定されるとともに、第１の回路基板２３にリード線２４を介して固定される第２の回路基板２５がネジ２６により固定されている。一方、基台２１の後側には、電源となる電池（本実施形態では、単四電池）２７が収容されるようになっている。
【００１７】
基台２１の一端部（図２における上端部）には、電池２７の陰極が接触する陰極端子３１が設けられている。一方、基台２１の他端部（図２における下端部）には、後述する陽極端子４１を介して電池２７の陽極に接続される可動接点端子３２が設けられている。なお、陰極端子３１及び可動接点端子３２は、それぞれ第１の回路基板２３に接続されている。
【００１８】
基台２１の他端側には、略有底円筒状のベースホルダ３３がネジ３４により固定されている。ベースホルダ３３は、基台２１に対してハウジング１２から他端側に突出するように固定されている。そして、ベースホルダ３３とハウジング１２及び電池交換用カバー１６との間には、ゴム等の弾性材料からなるＯリング３５，３６がそれぞれ介在されている。これにより、ベースホルダ３３とハウジング１２との間、及びベースホルダ３３と電池交換用カバー１６との間が液体の浸入を防止した状態で封止されている。ベースホルダ３３の底部には、電池２７を挿入可能な挿入孔３７、及び可動接点端子３２の陽極端子４１との接触部３２ａが突出する端子孔３８が形成されている。
【００１９】
電池交換用カバー１６は、ベースホルダ３３のハウジング１２から突出した部分を覆うように形成されており、電池交換用カバー１６の開口端はハウジング１２の他端に当接している。電池交換用カバー１６の内側には、略平板状の陽極端子ホルダ３９が設けられており、電池交換用カバー１６の底部と陽極端子ホルダ３９との間に電池２７の陽極が接触する陽極端子４１が固定されている。そして、電池交換用カバー１６をベースホルダ３３に取着することにより、電池２７の陽極及び可動接点端子３２の接触部３２ａが陽極端子４１に接触するようになっている。また、電池交換用カバー１６の外底面には、美容装置１の品番等が記載された定格シール４２が貼り付けられている。なお、電池交換用カバー１６と定格シールとの間には、液体の通過を遮断しつつ、気体の通過を許容するシート状部材４３が設けられている。
【００２０】
図３及び図４に示すように、基台２１の一端側には、上記放出口２を有するノズル５１が固定されている。ノズル５１は、光透過性を有する半透明材料からなり、略有底円筒状の固定部５２と、固定部５２における前側部分から一端側に延出される湾曲板状の放出口形成部５３とを有している。固定部５２とハウジング１２との間には、Ｏリング５４が介在されており、ハウジング１２とノズル５１の固定部５２との間が液体の浸入を防止した状態で封止されている。そして、放出口２は、放出口形成部５３の厚み方向（図５における左右方向）両側に開口した略円筒状に形成されている。
【００２１】
なお、ノズル５１には、固定部５２を貫通し、放出口形成部５３に隣接するようにしてポリカーボネート等からなる導光部材５６が設けられている。そして、図２に示すように、導光部材５６により、第１の回路基板２３に実装されたＬＥＤ（発光ダイオード）５７の光が放出口２内に導光されるようになっている。
【００２２】
図３及び図４に示すように、放出口形成部５３の後側には、貯留タンク１４に貯留された液体をミスト化するミスト生成機構５８を挟み込むように、略平板状のノズルホルダ５９が配置されている。ノズルホルダ５９には、放出口２と同軸上に貫通孔６０が形成されており、ネジ６１によりノズル５１に固定されている。
【００２３】
本実施形態のミスト生成機構５８は、超音波振動により貯留タンク１４から供給される液体をミスト化させるように構成されている。具体的には、ミスト生成機構５８は、円環状の振動子６２と、振動子６２に固定された薄い円板状の振動板６３とを有しており、これら振動子６２及び振動板６３は、放出口２と同軸上に配置されている。振動板６３には、多数の微小な孔（図示略）が形成されている。また、本実施形態の振動子６２は、ピエゾ素子（圧電素子）からなり、リード線６４を介して第１の回路基板２３に接続されている。そして、振動子６２は、印加される電圧に応じて径方向に拡大・縮小することにより、振動板６３を超音波振動させる構成となっている。
【００２４】
振動子６２と、ノズル５１の放出口形成部５３及びノズルホルダ５９との間には、それぞれパッキン６５，６６が介在されている。これにより、振動子６２と放出口形成部５３の間、及びノズルホルダ５９との間が液体の浸入を防止した状態で封止されている。また、振動子６２の後側に配置されるパッキン６６には、ノズルホルダ５９の貫通孔６０内に挿入される筒状の挿入部６７が形成されている。
【００２５】
一方、放出口形成部５３の前側には、湾曲板状のフロントカバー６８が、同放出口形成部５３の前側を覆うように配置されている。フロントカバー６８には、放出口２と同軸上に貫通孔６９が形成されている。そして、フロントカバー６８は、貫通孔６９に放出口２の前側端部が挿入された状態で、ネジ７０によりノズルホルダ５９に固定されている。なお、本実施形態では、上記ハウジング１２及びフロントカバー６８によって、放出口２が設けられる略円筒状の本体ケースが構成されている。また、フロントカバー６８の一端には、半円形状の天板部７１が形成されており、天板部７１には、係合孔７２が形成されている。さらに、フロントカバー６８の外側面における前側部分には凸部７３が形成されている。
【００２６】
貯留タンク１４は、光透過性を有する透明材料からなり、略直方体状に形成されている。そして、貯留タンク１４は、ハウジング１２の軸心よりも後側の位置において、その長手方向がハウジング１２の軸方向と平行になるように配置されている。貯留タンク１４のハウジング１２側の端部には、前側に開口する円筒状の供給口８１が形成されている。つまり、供給口８１は、美容装置１の一端側が重力方向上側となる状態で、貯留タンク１４の重力方向下側に位置するように形成されている。また、貯留タンク１４におけるハウジング１２と反対側の端壁部８２には、突起８３が形成されている。そして、貯留タンク１４は、供給口８１がパッキン６６の挿入部６７内に圧入されるとともに突起８３がフロントカバー６８の係合孔７２に係合することで、装置本体１１に取着されている。
【００２７】
タンクキャップ１５は、貯留タンク１４を覆うような略有底円筒状に形成されている。タンクキャップ１５の内周面には、フロントカバー６８の凸部７３と対応する位置に凹部８５が形成されている。そして、タンクキャップ１５は、凹部８５に凸部７３が係合することにより、フロントカバー６８に取着されている。
【００２８】
図４及び図５に示すように、タンクキャップ１５の底部８６には、開口窓としての採光窓８７が貯留タンク１４に臨む位置に形成され、タンクキャップ１５の筒部８８における後側部分には、開口窓としての確認窓８９が形成されている。なお、採光窓８７は周方向に延びる長孔状に形成され、確認窓８９は、貯留タンク１４の長手方向（ハウジング１２の軸方向）に延びる長孔状に形成されている。
【００２９】
図１に示すように、放出口カバー１３は、ハウジング１２の周方向に延び、その外周を回り込むような略円弧状に形成されている。そして、放出口カバー１３は、ハウジング１２の軸方向に移動して放出口２を開閉する。具体的には、放出口カバー１３は、移動範囲における一端に位置（図１（ａ）に示す位置）した状態で放出口２を覆い（閉じ）、その他端に位置（図１（ｂ）に示す位置）した状態で放出口２を外部に露出させる（開く）ようになっている。
【００３０】
本実施形態の美容装置１には、図３及び図４に示すように、放出口２を閉じる位置にある放出口カバー１３の移動を規制するロック状態と、同放出口カバー１３の移動を許容するロック解除状態とを切り替え可能なロック機構９４が設けられている。ロック機構９４は、ネジ１０５によりノズル５１に固定されるロックベース１０１と、バネ部材１０４により付勢されるロックボタン１０３とを有している。そして、ロックボタン１０３を押圧することにより、放出口カバー１３の移動が許容されるロック解除状態となるように構成されている。なお、ネジ１０５と固定部５２との間には、Ｏリング１０６が介在されており、ネジ１０５と固定部５２との間が液体の浸入を防止した状態で封止されている。
【００３１】
そして、美容装置１は、ミスト生成機構５８への電力供給のオンオフが放出口カバー１３の位置に応じて非接触で切り替えられるように構成されている。具体的には、図３に示すように、第１の回路基板２３には、リードスイッチからなる電源スイッチ１１１が実装されている。放出口カバー１３には、電源スイッチ１１１と対応する位置に磁石１１２が固定されている。これにより、放出口カバー１３が放出口２が開いた状態で電源スイッチ１１１がオンする一方、放出口カバー１３が放出口２を閉じた状態で電源スイッチ１１１がオフする。そして、電源スイッチ１１１がオンした状態で、第１の回路基板２３に実装されたマイコン１１４（図３参照）により電池２７からミスト生成機構５８への電力供給が制御され、ミストが生成されるようになっている。
【００３２】
なお、本実施形態の美容装置１は、上記のように電池２７や貯留タンク１４等の重量部品がハウジング１２の軸心よりも後側に配置されることにより、その重心がハウジング１２の軸心よりも後側に位置するように構成されている。これにより、美容装置１を横にした状態（軸方向が重力方向に対して略直交した状態）で、同美容装置１は、その後側が重力方向下方に位置し、放出口２が重力方向下方へ向きにくくなっている。
【００３３】
（内圧調整構造）
次に、貯留タンクの内圧が一定となるように調整するための構造について説明する。
上述のように、貯留タンク１４を供給口８１のみが外部に開口する形状とした場合には、美容装置１の周囲環境が変化すると、同貯留タンク１４の内圧が変化し、ミスト生成機構５８への液体の供給が不安定になることがある。その結果、例えば内圧が高くなった場合には、ミスト生成機構５８に過剰に液体が供給され、振動板６３における放出口２側に液体が漏れ出すことで、安定してミストが生成されなくなる虞がある。
【００３４】
この点を踏まえ、図５〜図７に示すように、貯留タンク１４における供給口８１が開口する側（前側）には、液体に対して気体を選択的に通過させる通気手段としての微細孔１２１が設けられている。なお、微細孔１２１は、重力方向下側に向けられても、表面張力により液体が漏れ出ないような小さな孔径（開口面積）に形成されている。そして、本実施形態では、微細孔１２１は、貯留タンク１４の内外を連通する連通孔１２２に、ゴム等の弾性材料からなる略円柱状の栓部材１２３を挿入することにより形成されている。
【００３５】
詳述すると、連通孔１２２は、貯留タンク１４における前側の側壁部１２４に形成されている。なお、本実施形態では、連通孔１２２は、端壁部８２寄りの位置に形成されており、美容装置１の一端側が重力方向上側となる状態で、供給口８１よりも重力方向上側に配置されるようになっている。つまり、微細孔１２１は、美容装置１の一端側が重力方向上側となる状態で、供給口８１よりも重力方向上側に配置されるようになっている。
【００３６】
図７に示すように、栓部材１２３は、連通孔１２２の内径と略等しい外径を有する軸部１２５と、軸部１２５における前側の端部から径方向外側に延出される円環状のフランジ部１２６とを有している。連通孔１２２の内周面１２２ａに接触する接触面としての軸部１２５の外周面１２５ａには、その軸方向に延びる通気溝１２７が形成されている。なお、本実施形態では、栓部材１２３には、複数の通気溝１２７が周方向に等角度間隔で形成されている。通気溝１２７は、栓部材１２３が連通孔１２２に圧入された状態で、両端が貯留タンク１４の内外に開口するように形成されている。そして、栓部材１２３が連通孔１２２に圧入された状態で、軸部１２５の外周面１２５ａにおける通気溝１２７が形成された部分以外が連通孔１２２の内周面１２２ａに圧接することで、通気溝１２７が上記微細孔１２１として構成されるようになっている。
【００３７】
なお、フランジ部１２６の貯留タンク１４との対向面には、複数の突起１２８が形成されている。これにより、栓部材１２３を連通孔１２２に挿入した際に、フランジ部１２６全体が側壁部１２４に密着せず、通気溝１２７の前側端部が閉塞されることが防止されている。また、図４に示すように、ノズルホルダ５９の後面には、栓部材１２３と対応する位置に逃がし凹部１２９が形成されており、貯留タンク１４が装置本体１１に取着された状態で、同栓部材１２３がノズルホルダ５９に接触しないようになっている。
【００３８】
以上記述したように、本実施形態によれば、以下の作用効果を奏することができる。
（１）貯留タンク１４に液体に対して気体を選択的に通過させる微細孔１２１を設けたため、美容装置１の周囲環境の変化により、貯留タンク１４内部の気体が膨張した場合には、微細孔１２１を介して気体が外部に吐き出される。これにより、振動板６３の放出口２側に液体が漏れ出すことが抑制される。一方、貯留タンク１４内部の気体が収縮した場合には、外部から気体が吸い込まれる。このように上記構成では、周囲環境が変化しても貯留タンク１４内の内圧が一定に保たれるため、ミスト生成機構５８へ安定して液体を供給することが可能になり、ミスト生成機構５８で安定してミストを生成できるようになる。なお、微細孔１２１は、液体に対して気体を選択的に通過させるため、微細孔１２１が液面より重力方向下側に配置されても、同微細孔１２１を介して貯留タンク１４の外に液体が漏れ出すことは抑制される。
【００３９】
（２）微細孔１２１を貯留タンク１４における供給口８１が開口する側に設けた。そのため、例えば装置本体１１から貯留タンク１４を取り外し、供給口８１を重力方向上側に向けて液体を貯留タンク１４内に充填する際に、微細孔１２１が液面よりも重力方向下側に配置されず、重力方向上側に配置されるようになる。これにより、液体の充填時に微細孔１２１を介して液体が漏れ出すことを抑制できる。
【００４０】
（３）貯留タンク１４の側壁部１２４に連通孔１２２を形成し、同連通孔１２２に弾性材料からなる円柱状の栓部材を挿入した。そして、栓部材１２３の外周面１２５ａに形成され、貯留タンク１４の内外に開口する通気溝１２７により微細孔１２１を構成した。
【００４１】
ここで、重力方向下側に向けても表面張力により液体は漏れ出ないような小さな開口面積の微細孔１２１を、孔空け加工により貯留タンク１４に直接形成することは一般に困難である。この点、上記構成によれば、栓部材１２３の表面である外周面１２５ａに形成された溝（通気溝１２７）により微細孔１２１が構成されるため、簡易な構成で容易に微細孔１２１を構成することができる。
【００４２】
（４）貯留タンク１４を、光透過性を有する材料から構成し、タンクキャップ１５の筒部８８に確認窓８９を形成するとともに底部８６に採光窓８７を形成した。上記構成によれば、採光窓８７からタンクキャップ１５内に光が入るため、確認窓８９から貯留タンク１４内に貯留された液体の残量を容易に確認することができるようになる。
【００４３】
なお、上記実施形態は、これを適宜変更した以下の態様にて実施することもできる。
・上記実施形態において、タンクキャップ１５に採光窓８７及び確認窓８９を形成しなくてもよい。
【００４４】
・上記実施形態では、微細孔１２１を供給口８１が開口する前側の側壁部１２４に設けたが、これに限らず、例えば供給口８１が開口する側と反対側（後側の側壁部）に設けてもよい。
【００４５】
・上記実施形態では、栓部材１２３に形成された通気溝１２７により微細孔１２１を構成したが、これに限らず、例えば内径の小さな金属管により微細孔１２１を構成してもよい。図８に示す例では、軸部１２５の外周面１２５ａは、その全周に亘って連通孔１２２の内周面１２２ａに圧接するように形成されている。そして、栓部材１２３の略中央には、貯留タンク１４の内外に開口する金属管１３１が埋設されており、金属管１３１により微細孔１２１が構成されている。
【００４６】
ここで、金属管１３１は、例えば引き延ばすことにより、容易にその内径を小さくすることが可能になる。また、金属管１３１は、弾性材料からなる栓部材１２３に比べて十分な剛性を有する。そのため、貯留タンク１４の連通孔１２２や栓部材１２３の寸法ばらつき等に起因して、例えば栓部材１２３を連通孔１２２に挿入した状態で金属管１３１に圧縮力が作用する場合でも、ほとんど潰れることがない。したがって、寸法ばらつき等があっても適切に気体を通過させることが可能になり、精度良く貯留タンク１４の内圧を一定にすることができる。
【００４７】
なお、栓部材１２３を用いず、孔空け加工により、直接微細孔１２１を貯留タンク１４に形成してもよい。
・上記実施形態において、例えば貯留タンク１４の連通孔１２２を気液分離膜により閉塞することで、同連通孔１２２を気体が選択的に通過するようにしてもよい。この場合には、気液分離膜が通気手段を構成する。
【００４８】
・上記実施形態では、振動板６３を超音波振動させることにより液体からミストを生成するようにしたが、これに限らず、例えば液体を沸騰させることによりミストを生成したり、電極からの放電によりミストを生成（静電霧化）したりしてもよい。
【００４９】
・上記実施形態では、本発明の美容装置１を用いて化粧水をミスト化したが、これに限らず、例えば水（純水）や他の液体をミスト化させてもよい。
・上記実施形態では、本発明をミスト発生装置を備えた美容装置１に具体化したが、ミスト発生装置を備えた他の任意の装置（携帯用の加湿器等）に具体化してもよい。
【符号の説明】
【００５０】
１…ミスト発生装置を備えた美容装置、２…放出口、１１…装置本体、１２…ハウジング、１３…放出口カバー、１４…貯留タンク、１５…タンクキャップ、１６…電池交換用カバー、２１…基台、３３…ベースホルダ、５１…ノズル、５８…ミスト生成機構、５９…ノズルホルダ、６８…フロントカバー、８１…供給口、８６…底部、８７…開口窓としての採光窓、８８…筒部、８９…開口窓としての確認窓、１２１…微細孔、１２２…連通孔、１２２ａ…内周面、１２３…栓部材、１２５…軸部、１２５ａ…接触面としての外周面、１２６…フランジ部、１２７…通気溝、１３１…金属管。
【図５】
2013022201.tif 000003
【図６】
2013022201.tif 000004
【図７】
2013022201.tif 000005
【図８】
2013022201.tif 000006
【図１】
2013022201.tif 000007
【図２】
2013022201.tif 000008
【図３】
2013022201.tif 000009
【図４】
2013022201.tif 000010